(57)【特許請求の範囲】
【請求項１】
植食動物が生息する漁場において、第１基質及び第２基質を用いて海藻漁場を造成する方法であって、
前記第１基質が、第１固定金具によって海底の天然物又は人工設置物に一端部が固定される第１紐状部材と、前記第１紐状部材の他端部に固定された浮き部材とを有しており、
前記第２基質が、第２固定金具によって海底の天然物又は人工設置物に固定される第２紐状部材を有しており、
天然の母藻からの胞子が海中を流れる経路中に前記第１紐状部材が配置され、且つ、前記浮き部材の浮力によって前記第１紐状部材が前記一端部から海面に向かって延びるように前記第１基質を設置し、当該母藻からの胞子を前記第１紐状部材に着生させる工程と、
前記第１紐状部材が波浪の影響で揺れ動くことにより、前記植食動物による食害を抑制しつつ前記第１紐状部材において海藻を成長させる工程と、
前記第１基質に着生した母藻からの胞子が流れる経路中に前記第２紐状部材が配置され、且つ、海底の天然物又は人工設置物の上方において前記第２紐状部材が陸沖方向に延びるように前記第２基質を設置し、当該母藻からの胞子を前記第２紐状部材に着生させる工程と、
前記第２紐状部材において成長した海藻の少なくとも一部を、海底の天然物又は人工設置物の上面に到達させることにより、前記植食動物に給餌する工程とを備えており、
前記第１紐状部材が、互いに太さの異なる部分である細径部及び太径部を有しており、
前記細径部が、前記第１紐状部材において前記第１固定金具の上部に位置することを特徴とする海藻漁場の造成方法。
【請求項２】
植食動物が生息する漁場において、第１基質及び第２基質を用いて海藻漁場を造成する方法であって、
前記第１基質が、第１固定金具によって海底の天然物又は人工設置物に一端部が固定される第１紐状部材と、前記第１紐状部材の他端部に固定された浮き部材とを有しており、
前記第２基質が、第２固定金具によって海底の天然物又は人工設置物に固定される第２紐状部材を有しており、
天然の母藻からの胞子が海中を流れる経路中に前記第１紐状部材が配置され、且つ、前記浮き部材の浮力によって前記第１紐状部材が前記一端部から海面に向かって延びるように前記第１基質を設置し、当該母藻からの胞子を前記第１紐状部材に着生させる工程と、
前記第１紐状部材が波浪の影響で揺れ動くことにより、前記植食動物による食害を抑制しつつ前記第１紐状部材において海藻を成長させる工程と、
前記第１基質に着生した母藻からの胞子が流れる経路中に前記第２紐状部材が配置され、且つ、海底の天然物又は人工設置物の上方において前記第２紐状部材が陸沖方向に延びるように前記第２基質を設置し、当該母藻からの胞子を前記第２紐状部材に着生させる工程と、
前記第２紐状部材において成長した海藻の少なくとも一部を、海底の天然物又は人工設置物の上面に到達させることにより、前記植食動物に給餌する工程とを備えており、
前記天然の母藻からの胞子を着生させる際に、沿岸の卓越流に関して上流側と比べて下流側に多くの前記第１基質を設置することを特徴とする海藻漁場の造成方法。
【請求項３】
植食動物が生息する漁場において、第１基質及び第２基質を用いて海藻漁場を造成する方法であって、
前記第１基質が、第１固定金具によって海底の天然物又は人工設置物に一端部が固定される第１紐状部材と、前記第１紐状部材の他端部に固定された浮き部材とを有しており、
前記第２基質が、第２固定金具によって海底の天然物又は人工設置物に固定される第２紐状部材を有しており、
天然の母藻からの胞子が海中を流れる経路中に前記第１紐状部材が配置され、且つ、前記浮き部材の浮力によって前記第１紐状部材が前記一端部から海面に向かって延びるように前記第１基質を設置し、当該母藻からの胞子を前記第１紐状部材に着生させる工程と、
前記第１紐状部材が波浪の影響で揺れ動くことにより、前記植食動物による食害を抑制しつつ前記第１紐状部材において海藻を成長させる工程と、
前記第１基質に着生した母藻からの胞子が流れる経路中に前記第２紐状部材が配置され、且つ、海底の天然物又は人工設置物の上方において前記第２紐状部材が陸沖方向に延びるように前記第２基質を設置し、当該母藻からの胞子を前記第２紐状部材に着生させる工程と、
前記第２紐状部材において成長した海藻の少なくとも一部を、海底の天然物又は人工設置物の上面に到達させることにより、前記植食動物に給餌する工程とを備えており、
前記第２固定金具が、海底の天然物又は人工設置物の上面に形成された穴に差し込まれる第３差し込み部と、前記第３差し込み部より上方の部分である本体部とを有し、
複数個の前記第２固定金具を平面視で陸沖方向に一列に配置すると共に、前記第２紐状部材を、前記複数個の第２固定金具のそれぞれにおける前記本体部に固定することを特徴とする海藻漁場の造成方法。
【請求項４】
前記浮き部材が紡錘形状を有しており、前記第１紐状部材が前記紡錘形状の一端部から延びていることを特徴とする請求項１〜３のいずれか１項に記載の海藻漁場の造成方法。
【請求項５】
前記第１紐状部材が、前記細径部及び太径部の両方に跨って延びた紐状の第１部材と、前記第１部材に沿って前記第１部材と組み合わされていることにより前記太径部を形成している紐状の第２部材とを有していることを特徴とする請求項１に記載の海藻漁場の造成方法。
【請求項６】
前記第１固定金具が、前記第１紐状部材の一端部が結び付けられる結び付け部と、前記天然物又は前記人工設置物に形成された穴へと一方向に差し込まれる第１差し込み部及び第２差し込み部とを有しており、
前記一方向と直交する方向に関して、前記第１差し込み部と前記結び付け部との間の距離が、前記第２差し込み部と前記結び付け部との間の距離より大きいことを特徴とする請求項５に記載の海藻漁場の造成方法。
【請求項７】
前記第１固定金具が１本の棒状部材を有しており、
前記棒状部材の一端部が、前記一方向に向かって折り曲げられていることにより前記第１差し込み部を形成しており、
前記棒状部材の他端部が、前記一方向とは反対方向に向かって湾曲した湾曲部を前記結び付け部として形成していると共に、前記湾曲部と前記一端部を繋ぐ直線部と交差するように、前記一方向に向かって折り曲げられていることにより、前記湾曲部から前記一方向に向かって突出した前記第２差し込み部を形成していることを特徴とする請求項６に記載の海藻漁場の造成方法。
【請求項８】
前記第２固定金具が、前記本体部と交差した交差部を有しており、
複数本の前記第２紐状部材が、水平方向に関して互いに離隔するように、前記第２固定金具のそれぞれの前記交差部に固定されていることを特徴とする請求項３に記載の海藻漁場の造成方法。
【請求項９】
海底の天然物又は人工設置物の上面に形成された穴に差し込まれる第４差し込み部が、前記本体部が延びた方向と交差する方向に関して前記第３差し込み部から離隔するように設けられていることを特徴とする請求項３又は８に記載の海藻漁場の造成方法。
【発明の詳細な説明】
【技術分野】
【０００１】
本発明は、植食動物が生息する漁場においてコンブ等の海藻を育成することによる海藻漁場の造成方法に関する。
【背景技術】
【０００２】
コンブ等の海藻を育成する方法の一例として特許文献１がある。特許文献１では、海藻類の胞子をあらかじめ定着させた基質（育成ネット）が海底に設置される。
【先行技術文献】
【特許文献】
【０００３】
【特許文献１】特開２００２−３３０６５１号公報
【発明の概要】
【発明が解決しようとする課題】
【０００４】
特許文献１の方法によると、施設の設置に先立って採苗を実施する必要がある。例えば、胞子を放出可能な母藻を採取し、水槽等において母藻からの胞子を基質に着生させ、その後、基質を海底に設置するといった煩雑な工程の実施が必要である。このように、特許文献１の方法では、基質の導入段階での工程を容易に実施できないおそれがある。したがって、適切な規模の基質を確保しにくく、十分な量の海藻を育成しにくいため、漁場の造成には適切でない。また、近年の海藻不足から、基質に着生させるための胞子を十分に確保しづらい。したがって、胞子を付着した基質を十分に確保できず、適切な規模の基質を設置できないおそれがある。さらに、基質が海底に設置されるため、海底に生息するウニ等の植食動物による食害にさらされやすい。よって、基質に海藻が着生したとしてもこれを長期間に亘って維持することができない。これらの問題から、特許文献１の方法では、持続可能で十分な規模の漁場を造成できないおそれがある。
【０００５】
より詳細に引用文献１の課題を挙げると、以下の通りとなる。引用文献１の方法で漁場を造成すると、施設全体が大型になりやすく、使用する網地や固定資材についても大規模なものが必要となりやすい。また、採苗工程を実施する場合、胞子液を満たした水槽（プール等）に施設を浸漬した後の管理（例えば、運搬時間の短縮、風乾や網地に採苗した胞子の擦れの防止）が困難であることから、かかる方法は採用できず、代わりにタネ糸を装着する方法が候補となり得る。しかし、この方法でも、大規模な網地にタネ糸を装着する作業において、タネ糸が乾かないように短時間での施工が必要となるため、陸上での作業は困難である。一方、水中で実施するにも膨大な時間と人手が必要となるため、やはり困難である。さらに、水中では、岩盤底質において面積のある網地を展張すると、網地の周辺部から中央部に離れるに従い、網地素材の伸びにより、一様な緊張形状（ピンと張った網地の形状）を保つことが困難になる。この網地の伸び代は、海底に敷設された網地が波やうねりによって揺れ動く原因となる。また、これによって網地が擦れ、短時間で網目破損が発生しやすくなり、さらに、台風や低気圧等が発生した際の時化により網地の引き裂き等の被害等が発生しやすい。特に海藻増殖を目的とする場合は、漁場水深が浅いことから、かかる漁場に設置した施設の被害が大きくなりやすい。一方、底質が砂泥質である場合には、網地の比重を大きくすることにより、網地が砂泥に埋まり込んで安定する。しかしながら、網地の基質が埋まり込むと、基質に着生する種苗の発芽及び成長に必要な光量が不足する。このように、引用文献１の方法は、海藻漁場の造成方法として課題が多い。
【０００６】
本発明の目的は、植食動物が生息する漁場において、維持・管理が容易であり、天然胞子を供給する持続可能な海藻漁場の造成方法を提供することにある。
【課題を解決するための手段】
【０００７】
本発明の海藻漁場の造成方法は、植食動物が生息する漁場において、第１基質及び第２基質を用いて海藻漁場を造成する方法であって、前記第1基質が、第１固定金具によって海底の天然物又は人工設置物に一端部が固定される第１紐状部材と、前記第１紐状部材の他端部に固定された浮き部材とを有しており、前記第２基質が、第２固定金具によって海底の天然物又は人工設置物に固定される第２紐状部材を有しており、天然の母藻からの胞子が海中を流れる経路中に前記第１紐状部材が配置され、且つ、前記浮き部材の浮力によって前記第1紐状部材が前記一端部から海面に向かって延びるように前記第1基質を設置し、当該母藻からの胞子を前記第1紐状部材に着生させる工程と、前記第１紐状部材が波浪の影響で揺れ動くことにより、前記植食動物による食害を抑制しつつ前記第１紐状部材において海藻を成長させる工程と、前記第１基質に着生した母藻からの胞子が流れる経路中に前記第２紐状部材が配置され、且つ、海底の天然物又は人工設置物の上方において前記第２紐状部材が陸沖方向に延びるように前記第２基質を設置し、当該母藻からの胞子を前記第２紐状部材に着生させる工程と、前記第２紐状部材において成長した海藻の少なくとも一部を、海底の天然物又は人工設置物の上面に到達させることにより、前記植食動物に給餌する工程とを備えている。また、本発明の第１の観点においては、前記第１紐状部材が、互いに太さの異なる部分である細径部及び太径部を有しており、前記細径部が、前記第１紐状部材において前記第１固定金具の上部に位置する。さらに、本発明の第２の観点においては、前記天然の母藻からの胞子を着生させる際に、沿岸の卓越流に関して上流側と比べて下流側に多くの前記第１基質を設置する。本発明の第３の観点においては、前記第２固定金具が、海底の天然物又は人工設置物の上面に形成された穴に差し込まれる第３差し込み部と、前記第３差し込み部より上方の部分である本体部とを有し、複数個の前記第２固定金具を平面視で陸沖方向に一列に配置すると共に、前記第２紐状部材を、前記複数個の第２固定金具のそれぞれにおける前記本体部に固定する。
【０００８】
本発明の海藻漁場の造成方法によると、まずは、天然の母藻からの胞子を第１基質に着生させる。第１基質の設置は、浮き部材が固定された第１紐状部材を固定金具によって固定するという簡易な方法で実施できる。また、天然の母藻からの胞子が海中を流れる経路中に第1紐状部材を配置させる。このため、天然の母藻からの胞子を着生させることができる適切な位置に第１基質を設置しやすい。また、第１基質は、第１紐状部材が海底から海面に向かって延びるように配置される。このように配置された第１紐状部材は、波浪の影響で揺れ動くため、第１紐状部材に着生した海藻が海底に生息する植食動物による食害を受けにくい。したがって、第１基質において胞子を放出できる段階まで海藻を確実に保護して成長させやすい。
【０００９】
次に、第１基質に着生した海藻を母藻として、かかる母藻からの胞子をさらに第２基質に着生させる。第１基質は、天然の母藻から採苗した位置のまま利用されてもよいし、そこから離隔した場所や新規漁場に移動してもよい。上記の通り、第１基質は、固定金具によって第１紐状部材の一端部が固定される簡易な構成を有している。このため、海藻が着生した第１紐状部材を別の場所に移動して利用しやすい。なお、この場合、金具は移動せずに採苗場所と移設先のそれぞれに設置した金具を使用すると効率的である。第２基質は、固定金具によって第２紐状部材が陸沖方向に延びるように海底の天然物又は人工設置物に設置される簡易な構成を有している。このため、第２紐状部材を延伸するという簡易な方法で施設の規模を拡張しやすい。また、第２紐状部材は海底の天然物又は人工設置物の上方に配置される。このため、第２紐状部材において海藻が成長・伸長するまでの期間、海藻は天然物又は人工設置物の上面（付近）に到達しない。また、第２紐状部材が水中を陸沖方向に延びているので、波浪に由来する基質周辺の水の流動が植食動物による摂餌行動を常時抑制すると共に、第２紐状部材（基質）上で生育する海藻類を動揺させる。かかる動揺により、海藻が植食動物を叩き、その摂餌行動を抑制する。したがって、ウニ等の植食動物が基質に這い上がって海藻を摂食することによる食害が大きく抑制される。そして、海藻が成長すると、その一部が海底の天然物又は人工設置物に到達し、餌料量が増えた状態で植食動物の摂餌の対象となる。さらに、第１の観点によると、太径部よりも波浪により揺れ動きやすい細径部は、海底に生息するウニ等の植食動物が這い上がりにくい。さらに、上部の太径部は波の抵抗が強く作用するので細径部がより揺れやすくなる。したがって、上方の太径部に植食動物がたどり着きにくい。よって、太径部に着生した海藻への植食動物による食害が抑制される。第２の観点によると、母藻から放出された胞子は、沿岸流によって、上流側と比べて下流側に多く流出・拡散する。したがって、上流側と比べて下流側に多くの第１基質を、母藻から距離を空けずに設置することで、かかる胞子をより確実に効率よく第１基質に着生させることができる。なお、本発明において、「沿岸の卓越流に関して上流側と比べて下流側に多くの前記第１基質を設置する」とは、母藻（又は母藻群の中心）より上流側に位置する第１基質よりも下流側に位置する第１基質が多くなるように第１基質を設置することを意味する。また、沿岸の卓越流とは、第１基質への採苗の期間において卓越する沿岸流を意味する。第３の観点によると、第２固定金具によって簡易な構成で天然物又は人工設置物から上方に離隔するように第２紐状部材を固定できる。
【００１０】
以上の通り、本発明においては、天然の母藻が放出する胞子を適切に第１基質に着生させつつ、着生した海藻が植食動物から食害を受けるのを回避できる。これにより、限られた天然の母藻から供給される胞子を保護・育成して、胞子を放出する段階まで確実に海藻を育成できる。また、第１基質において育成された母藻からの胞子を第２基質に着生させる。第１基質は、漁場を造成・拡大する場所に移動することもできる。第２基質においては、海藻が十分に成長するまで植食動物による食害を抑制できる。さらに、第２基質は第２紐状部材を延伸することで新規の着生基質を提供できるため、簡易に規模を拡張できる。これらにより、本発明においては、植食動物による食害を抑制すると共に適切に回避しつつ、長期間に亘って持続的に海藻を保護・育成しながら、十分な規模の海藻漁場を造成でき、さらに、当該漁場を植食動物への給餌場として利用することができる。また、従来技術のような大規模な施設が不要となりやすく、維持・管理が容易になる。
【００１１】
また、本発明においては、前記浮き部材が紡錘形状を有しており、前記第１紐状部材が前記紡錘形状の一端部から延びていることが好ましい。これにより、浮き部材の長尺方向が波浪による流れと同一方向になびくように浮き部材が配置されやすい。したがって、波浪に対する浮き部材の抵抗が大きく低減される。よって、第１基質が波浪によって破損・流出することを抑制できる。
【００１３】
また、本発明においては、前記第１紐状部材が、前記細径部及び太径部の両方に跨って延びた紐状の第１部材と、前記第１部材に沿って前記第１部材と組み合わされていることにより前記太径部を形成している紐状の第２部材とを有していることが好ましい。第１紐状部材に細径部及び太径部を設けると、これら太さの異なる部分同士で、波浪によって揺れ動く周期の違いが発生する。かかる違いにより、仮に、太い紐状部材と細い紐状部材の端部同士を連結することで太径部と細径部を構成したとすると、その連結部付近において、細径部が屈曲疲労等により破断するおそれがある。これに対し、上記構成の通り、第２部材が第１部材と組み合わされている（例えば、互いに縒り合されている）ため、上記のような連結部の屈曲疲労が大幅に抑制されている。なお、太径部は、径の太いロープ（撚り紐状でないもの）を添着してもよい。
【００１４】
また、本発明においては、前記第１固定金具が、前記第１紐状部材の一端部が結び付けられる結び付け部と、前記天然物又は前記人工設置物に形成された穴へと一方向に差し込まれる第１差し込み部及び第２差し込み部とを有しており、前記一方向と直交する方向に関して、前記第１差し込み部と前記結び付け部との間の距離が、前記第２差し込み部と前記結び付け部との間の距離より大きいことが好ましい。第１固定金具には、第１紐状部材を通じ、波浪による引張荷重が発生する。この引張荷重の方向は、浮き部材が波浪に乗って移動するのに応じて様々な方向に頻繁に変動する。これに対し、上記構成の通り、第２差し込み部のみならず第１差し込み部が設けられ、天然物又は人工設置物の穴に差し込まれる。これにより、第１差し込み部が上記のように変動する引張荷重に対し、差し込み方向に関する支持力を発生させる。これによって、第１固定金具全体の変形や変位が抑制され、強度及び耐久性が確保されている。また、仮に第１差し込み部が変位したり変形したりしても、第２差し込み部と穴の壁面との摩擦抵抗により第１固定金具の固定が維持される。このように、第１固定金具によって第１基質が天然物又は人工設置物に強固に固定される。
【００１５】
また、本発明においては、前記第１固定金具が１本の棒状部材を有しており、前記棒状部材の一端部が、前記一方向に向かって折り曲げられていることにより前記第１差し込み部を形成しており、前記棒状部材の他端部が、前記一方向とは反対方向に向かって湾曲した湾曲部を前記結び付け部として形成していると共に、前記湾曲部と前記一端部を繋ぐ直線部と交差するように、前記一方向に向かって折り曲げられていることにより、前記湾曲部から前記一方向に向かって突出した前記第２差し込み部を形成していることが好ましい。例えば仮に、第１固定金具の代わりに従来のアンカーピン及びアイナットで第１基質を固定した場合、これら２つの部材が通常、異種金属で構成されていることから、部材の接触部において腐食が進行しやすくなる。これに対し、上記構成の通り一本の棒状部材から構成された第１固定金具を用いることで腐食を回避し、第１基質の固定状態が長期間維持される。
【００１９】
また、本発明においては、前記第２固定金具が、前記本体部と交差した交差部を有しており、複数本の前記第２紐状部材が、水平方向に関して互いに離隔するように、前記第２固定金具のそれぞれの前記交差部に固定されていることが好ましい。これによると、複数本の第２紐状部材が、一列に配置された第２固定金具の各交差部に固定されている。したがって、一列に配置された第２固定金具に第２紐状部材が一本だけ固定される場合と比べ、多くの海藻を第２基質において着生・育成させ得る。
【００２０】
また、本発明においては、海底の天然物又は人工設置物の上面に形成された穴に差し込まれる第４差し込み部が、前記本体部が延びた方向と交差する方向に関して前記第３差し込み部から離隔するように設けられていることが好ましい。これによると、２本の差し込み部が差し込まれるので、第２固定金具が回転することなく、強固に固定される。
【図面の簡単な説明】
【００２１】
【図１】本発明の一実施形態に係る藻場礁に用いられる立て縄基質の正面図である。
【図２】図１の立て縄基質を部分的に分解した状態を示す図である。
【図３】図１の立て縄基質を岩礁等に固定するための固定金具の正面図である。
【図４】図３の固定金具の斜視図である。
【図５】図１の立て縄基質の設置例を示す平面図である。
【図６】図１の立て縄基質を用いて設置された藻場礁の平面図である。
【図７】図６の藻場礁に用いられている底繋ぎ施設の正面図である。
【図８】図７の底繋ぎ施設を岩礁等に固定するための固定金具の斜視図である。
【図９】図８の固定金具の変形例に係る斜視図である。
【発明を実施するための形態】
【００２２】
以下、本発明の一実施形態に係る海藻漁場の造成方法について説明する。本方法においては、図１〜図８に示す藻場礁１を用いた海藻の育成を通じて漁場が造成される。育成の対象となるコンブ類等の海藻は、従来、ウニやアワビ等の植食動物の餌料として利用されてきた。しかしながら、近年は、磯焼け現象の発生等により餌不足が持続し、これによって植食動物の水揚げの落ち込みと品質低下が著しいことが指摘されている。そこで、本海藻漁場の造成方法においては、海藻の育成を促進しつつ、育成した海藻を植食動物の餌料として利用する。このため、藻場礁１は、以下の立て縄基質１００（本発明における第１基質）及び底繋ぎ施設２００（本発明における第２基質）の両方を用いて構築される施設としている。まず、立て縄基質１００について説明した後、立て縄基質１００及び底繋ぎ施設２００の両方を利用した施設の構築について説明する。
【００２３】
立て縄基質１００は、海底の岩礁等の天然物か、海底に設置されたコンクリートブロック等の人工設置物（以下、岩礁等という。）に取り付けられ、設置される。立て縄基質１００は、図１に示すように、細ロープ１０１（本発明における第１部材）、太ロープ１０２（本発明における第２部材）、フロート１０３（本発明における浮き部材）及び固定金具１１０（本発明における第１固定金具）を備えている。なお、細ロープ１０１及び太ロープ１０２からなる部分が本発明における第１紐状部材に対応する。細ロープ１０１及び太ロープ１０２は、それぞれ合成繊維製のロープである。細ロープ１０１の一端部は固定金具１１０によって岩礁等の表面に固定されている。細ロープ１０１の他端部にはフロート１０３が固定されている。フロート１０３は、紡錘形の形状を有する発泡プラスチック製の部材である。フロート１０３には、その長尺方向の両端を結ぶように延びた貫通孔が形成されている。この貫通孔に細ロープ１０１の他端部が通され、細ロープ１０１における貫通孔の開口近傍の部分に抜け留め用の結び目等が形成されることにより、細ロープ１０１の他端部にフロート１０３が固定されている。これにより、細ロープ１０１がフロート１０３の紡錘形の先端部から延びるように立て縄基質１００が構成されている。
【００２４】
太ロープ１０２は、複数本（例えば、２〜３本）の合成繊維製のロープを編み込んだものか、径の太いロープである。太ロープ１０２は、図１に示すように、細ロープ１０１の途中の部分に組み合わされている。これにより、立て縄基質１００には、固定金具１１０に固定された一端から太ロープ１０２の端部までの部分である細径部１００ａと、太ロープ１０２が設けられた部分である太径部１００ｂとが形成されている。細径部１００ａより太い太径部１００ｂは、コンブ等の海藻類の仮根がより強固に固着しやすい。一方、細径部１００ａは、後述の通り、植食動物、特にウニが這い上がりにくい部分である。細ロープ１０１と太ロープ１０２は、例えば図２に示すように、太ロープ１０２の編み目（編み込まれたロープ同士の間）に細ロープ１０１を通すことで組み合わされている。これらは、互いに組み合わされた状態で止め糸１０５を結び付け添着することで固定されている。
【００２５】
固定金具１１０は岩礁等に差し込まれて用いられる。差し込み方向は、一例として上下方向に平行な方向であるが、上下方向と交差する方向であってもよい。固定金具１１０は、図３及び図４に示すように、金属製の１本の棒状部材が折り曲げられることで構成されている。これにより、複数個の部材の組み合わせで構成される場合と比べて固定金具１１０の電食に対する耐性が確保されやすい。これに対し、固定金具１１０の代わりに、従来のアンカーピン及びアイナットが用いられた場合、これら２つの部材が通常、異種金属で構成されていることから、部材の接触部において腐食が進行しやすくなる。固定金具１１０は、岩礁等への差し込み方向とほぼ直交する方向に沿って直線状に延びた本体部１１１（本発明における直線部）と、本体部１１１の一端から差し込み方向に向かって折り曲げられた差し込み部１１２（本発明における第１差し込み部）と、本体部１１１の他端からループ状に折り曲げられたループ部１１３とを有している。差し込み部１１２は、差し込み方向に沿って直線状に延びている。差し込み部１１２の先端は先鋭（先端を切り落とす加工が施された状態）に形成され、差し込み方向に対して斜めの方向に沿った表面１１２ａが形成されている。
【００２６】
ループ部１１３は、本体部１１１の他端から差し込み方向とは反対方向に向かって一旦湾曲して湾曲部１１４を形成していると共に、本体部１１１と交差するように湾曲部１１４から差し込み方向へと突出して差し込み部１１５（本発明における第２差し込み部）を形成している。湾曲部１１４の上部１１４ａ（本発明における結び付け部）には細ロープ１０１が結び付けられる。差し込み部１１５の先端は、図４に示すように先鋭（先細り）に形成され、差し込み方向に対して斜めの方向に沿った表面１１５ａが形成されている。差し込み部１１５は、差し込み方向に関して差し込み部１１２より小さく突出している。差し込み方向と直交する方向に関し、湾曲部１１４から差し込み部１１５までの距離は、湾曲部１１４から差し込み部１１２までの距離より小さい。固定金具１１０は、差し込み部１１２及び差し込み部１１５の両方が岩礁等に形成された穴に差し込まれることによって固定される。
【００２７】
立て縄基質１００の設置方法は以下の通りである。まず、細ロープ１０１及び太ロープ１０２を準備する。太ロープ１０２はロープを編み込んで作製されるか、径の太いロープを添着してもよい。そして、事前の準備段階又は設置現場において、細ロープ１０１にフロート１０３を固定すると共に、太ロープ１０２を細ロープ１０１に組み合わせる。海底の設置箇所においては、固定金具１１０の差し込み部１１２及び差し込み部１１５に応じた２つの穴を岩礁等に形成しておく。そして、固定金具１１０の差し込み部１１２及び差し込み部１１５を穴に差し込んだ後、固定金具１１０の本体部１１１に差し込み方向に向けてハンマーで打撃を加える。なお、固定場所（岩盤等）の状況により固定金具１１０の固定方法が適宜選択されてよい。例えば、粘土岩盤に対しては、打撃で固定した際に固定力不足が見込まれる場合には、水中用の接着剤を用いてもよい。これによって、差し込み部１１２及び差し込み部１１５を穴内に確実に挿入する。このように固定金具１１０を岩礁等に固定した後、固定金具１１０の湾曲部１１４に細ロープ１０１の先端部を結び付ける。なお、湾曲部１１４にあらかじめ細ロープ１０１の先端部を結び付けた後、固定金具１１０を岩礁等に固定してもよい。立て縄基質１００は、例えば、図１に示すように上部が海面に浮かんで漂うように配置される。
【００２８】
立て縄基質１００の具体的な構成は、対象となる海藻や設置環境に応じて現場で適宜調整されるとよい。調整の対象は、例えば、細ロープ１０１の長さや、フロート１０３及び太ロープ１０２を細ロープ１０１に取り付ける個数や固定位置である。図１に示す立て縄基質１００’及び１００’’は、立て縄基質１００とは別の構成例である。立て縄基質１００’は、全体が海中に没した状態で配置される一例である。立て縄基質１００’’は、２個のフロート及び２本の太ロープ１０２を細ロープ１０１に取り付ける一例である。立て縄基質１００’’では、細ロープ１０１の先端から、フロート１０３、太ロープ１０２、フロート１０３及び太ロープ１０２の順に、これらが細ロープ１０１に取り付けられている。なお、細ロープ１０１及び太ロープ１０２の構成は、水深や波浪環境により変更されてよい。例えば、細ロープのみの構成であってもよい。これは、水深が浅い漁場において、細ロープ１０１単体の方が、波浪抵抗が軽減され、材料疲労が軽減されることによる。
【００２９】
立て縄基質１００の使用例は以下の通りである。本実施形態は、海藻として、コンブ類への適用が主に想定されるが、ホンダワラ類やカジメ類等の他の海藻に適用されてもよい。立て縄基質１００への海藻の着生には天然採苗方式が用いられる。例えば、ホソメコンブ等のコンブにおける天然の母藻から流出する遊走子を立て縄基質１００に着生させる。このため、立て縄基質１００は、海藻の母藻からの遊走子の流出経路に設置される。例えば、立て縄基質１００は、図５に示すように沿岸に形成された母藻群の周囲に、母藻群の中心Ｃに関して同心楕円状（又は、同心円状）に配列される。具体的には、Ｃを中心とする楕円状の列Ｅ１及びＥ２のそれぞれに沿って複数個の立て縄基質１００が配列される。列Ｅ１及びＥ２のそれぞれにおいては、図５に示すように、沿岸の卓越流の影響を考慮し、卓越流の下流側が上流側と比べ、列に沿った長さ当たりの数が大きくなるように立て縄基質１００を配置する。これは、卓越流に関して下流側に母藻群から流出する遊走子が集中するからである。また、母藻群からの距離が大きくなるほど、漁場の面積当たりの個数が小さくなるように立て縄基質１００を配置してもよい。母藻群から各立て縄基質１００までの距離は小さいほどよいが、数百ｍ程度までであることが好ましい。このように、母藻群の中心より上流側と比べて下流側に多くの立て縄基質１００が設置されることで、立て縄基質１００に遊走子が効率的に着生する。各立て縄基質１００においては、図１に示すように、主に仮根が固着・発達しやすい太径部１００ｂで海藻が大きく成長する。
【００３０】
本実施形態に係る立て縄基質１００によると、母藻からの胞子の流出経路に設置することで海藻を施設に着生させる。前述したように漁場で近隣に母藻群落が存在する環境では、設置前に立て縄基質１００（及び、後述の底繋ぎ施設２００）への採苗は不要である。したがって、海底の設置場所に施設を導入するまでの工程が簡易である。また、立て縄基質１００の設置後、フロート１０３によって、基質本体（細ロープ１０１及び太ロープ１０２）が海中で、固定金具１１０から海面に向かって上下方向に延びるように配置される。したがって、海中を浮遊する胞子が基質本体に効果的に着生可能である。
【００３１】
なお、初年度に母藻群落が存在しない漁場の場合は、母藻群落が存在する漁場で立て縄基質１００に採苗した後に基質を移設して遊走子を供給するとよい。
【００３２】
ところで、上記のように沿岸に近い領域に立て縄基質１００を設置すると、波浪による施設への影響が強くなる。例えば、図１の両矢印Ｗに示すように、立て縄基質１００の上部が波浪の伝搬方向に応じて前後に揺れ動くことになり、立て縄基質１００の全体もこれに応じて揺れ動く。特に、太径部１００ｂより細い細径部１００ａは、波浪により揺れ動く傾向が強い。したがって、細径部１００ａは植食動物、特にウニが這い上がりにくく、上方の太径部１００ｂに植食動物がたどり着きにくい。よって、太径部１００ｂに着生した海藻への植食動物による食害が抑制されている。
【００３３】
一方、波浪による影響が強過ぎると、立て縄基質１００が波浪によって破損するおそれがある。例えば、フロート１０３は、波浪に従ってロープの長さの範囲で流される。そして、ロープが緊張するまでフロート１０３が流されると、フロート１０３は水中に没して波浪のピークをやり過ごす。このとき、ロープには海面付近からの引張力が繰り返し加わる。これによってロープの疲労により破断に至るおそれがある。これに対し、本実施形態においては、フロート１０３が紡錘形の形状を有しており、細ロープ１０１が紡錘形の先端部から延びるように立て縄基質１００が構成されている。したがって、フロート１０３の長尺方向が波浪による流れと同一方向になびくようにフロート１０３が配置されやすい。フロート１０３の長尺方向が波浪の伝搬方向に沿うと、フロート１０３における波浪に対する抵抗が小さくなる。よって、立て縄基質１００が波浪の影響を受けて破損・流出するおそれが抑制される。
【００３４】
また、波浪によって立て縄基質１００が引っ張られることにより、細ロープ１０１が結び付けられた湾曲部１１４の上部１１４ａには、図３に示すように、概ね上方の全方位方向への引張力Ｆが作用する。これに対し、固定金具１１０は、岩礁等に差し込まれた差し込み部１１２及び差し込み部１１５の両方によって支持されている。差し込み部１１２及び差し込み部１１５は、いずれも湾曲部１１４の上部１１４ａから図３の左右方向（差し込み方向と直交する方向）に離隔している。このため、図３に示すような全方位に変動する引張力が湾曲部１１４にかかり、この引張力が本体部１１１に変形応力として作用する。これに対し、下方（差し込み方向）に向かう支持力が差し込み部１１５に発生し、この支持力が上記引張力に対する抵抗となり上記変形応力による変形と釣り合うため、固定部材１１０全体が変形したり破損したりすることなく、耐久性が維持される。仮に、差し込み部１１５が岩礁等から抜けたとしても、差し込み部１１５より深く岩礁等に差し込まれた差し込み部１１２が固定金具１１０を支持している。
【００３５】
また、細ロープ１０１が細径部１００ａ及び太径部１００ｂの両方に跨るように細ロープ１０１と太ロープ１０２が組み合わされている。これに対し、仮に、太い紐と細い紐の端部同士を固縛して連結することで細径部１００ａ及び太径部１００ｂを構成したとする。この場合、細径部１００ａと太径部１００ｂの境界の連結箇所において立て縄基質１００の強度が応力集中や屈曲疲労により比較的弱くなるおそれがある。また、太さの異なる細径部１００ａ及び太径部１００ｂ同士で、波浪によって揺れ動く周期の違いが発生するおそれもある。強い波浪によって立て縄基質１００が引っ張られると、連結部が解けることで、立て縄基質１００が破損するおそれもある。これに対し、本実施形態では、細ロープ１０１が細径部１００ａ及び太径部１００ｂの両方に跨っているので、細径部１００ａと太径部１００ｂとの境界において強度が弱くなりにくい。したがって、立て縄基質１００の破損が抑制される。
【００３６】
次に、上述の海藻漁場の造成方法について説明する。底繋ぎ施設２００は、図６に示すように、陸と沖を結ぶ方向（以下、「陸沖方向」という。）に沿って張られたロープ２０１ａ〜２０１ｃ（本発明における第２紐状部材）を、陸沖方向と直交する方向に関して複数配列した施設である。ロープ２０１ａ〜２０１ｃは、いずれも合成繊維製であり、海藻の仮根が固着しやすい太さに調整されている。ロープ２０１ａ〜２０１ｃの３本のロープからなる列は、例えば、沿岸における一辺が数十ｍ程度の領域に、陸沖方向と直交する方向に関して概ね等間隔で設けられている。立て縄基質１００は、上述の天然採苗方式によって着生した海藻が胞子を放出できる程度まで十分成長したものを、採苗した場所から藻場礁１の設置領域に移設することで用いられる。立て縄基質１００は、沿岸の卓越流に関して底繋ぎ施設２００全体の上流側と、陸沖方向と直交する方向に関して底繋ぎ施設２００の中間部又はその付近とに設置されている。かかる２か所において、複数個の立て縄基質１００が陸沖方向に沿って概ね等間隔に配列されている。
【００３７】
底繋ぎ施設２００についてより詳細に説明する。ロープ２０１ａ〜２０１ｃは、図６及び図７に示すように、陸沖方向に延びるように、固定金具１１０及び２１０を用いて岩礁等に固定されている。ロープ２０１ａ〜２０１ｃは、図７に示すように、海底の岩礁等の凹凸に概ね沿うように張られている。固定金具１１０は、立て縄基質１００に用いられているものと同じである。固定金具１１０は、ロープ２０１ａ〜２０１ｃのそれぞれの両端を海底の岩礁等に固定するために用いられている。固定金具２１０（本発明における第２固定金具）は、図６及び図７に示すように陸沖方向に沿って一列に配列されている。固定金具２１０は、図８に示すように、岩礁等に差し込まれる縦棒２１１と、縦棒２１１の上端部にこれと交差するように固定された横棒２１２（本発明における交差部）と、縦棒２１１の下端部よりやや上方に固定された平板２１３と、横棒２１２から平板２１３まで縦棒２１１に対して斜めに渡された４本の補強棒２１４と、平板２１３の一端に固定された縦棒２１６とを有している。これらの部材はいずれも金属製であり、溶接によって互いに固定されている。縦棒２１１は直線状に形成されており、その下端は先鋭に形成されている。縦棒２１１の上端面には円柱形の無垢材からなる円柱棒２１５が固定されている。円柱棒２１５は、縦棒２１１の上端面から、縦棒２１１の両側方に突出している。縦棒２１１の上端部２１１ｘにはロープ２０１ｂが結び付けられている。円柱棒２１５は、縦棒２１１に結び付けられたロープ２０１ｂを縦棒２１１から抜け落ちないように規制している。縦棒２１６は直線状に形成されており、その下端は先鋭に形成されている。縦棒２１１及び２１６において平板２１３より下方の部分は、岩礁等に差し込まれる差し込み部２１１ａ及び２１６ａ（本発明における第３差し込み部及び第４差し込み部）を形成している。このように、差し込み部２１１ａ及び２１６ａの２本が岩礁等に差し込まれるので、差し込み方向に沿った軸周りに固定金具２１０が回転するのが抑制されている。縦棒２１１において、差し込み部２１１ａより上方の部分（本発明における本体部）は、上下方向に関して差し込み部２１１ａより長い。
【００３８】
横棒２１２は、縦棒２１１の両側方に向かって縦棒２１１と直交する方向に突出するように直線状に形成されている。横棒２１２の左右端面のそれぞれには円柱棒２１５が固定されている。縦棒２１１と直交する方向に関する横棒２１２の両端部２１２ｘにはロープ２０１ａ及び２０１ｃが結び付けられている。円柱棒２１５は、横棒２１２の左右端面から上下に突出している。円柱棒２１５は、横棒２１２に結び付けられたロープ２０１ａ及び２０１ｃを横棒２１２から抜け落ちないように規制している。平板２１３は、縦棒２１１の両側方に向かって縦棒２１１と直交する方向に突出するように直線状に形成されている。平板２１３は、岩礁等の表面に接触している。４本の補強棒２１４のうちの２本は、横棒２１２の一端部よりやや中央部寄りの位置に上端が固定され、下端が平板２１３の両端部に固定されている。残りの２本は、横棒２１２の他端部よりやや中央部寄りの位置に上端が固定され、下端が平板２１３の両端部に固定されている。
【００３９】
底繋ぎ施設２００の設置方法は以下の通りである。一例として、沖側から陸側に向かってロープ２０１ａ〜２０１ｃを設置する場合について説明する。まず、固定金具１１０を沖側・陸側の双方に設置し、これらに作業船を固定したりこれらの間で移動させたりする。これにより陸沖方向のアウトラインが決定され、作業船の移動または固定は任意の場所に設定でき、移動・固定に伴う作業時間を短縮できる。次に、例えば沖側の最初の固定位置から所定の距離だけ陸側に近づいた２番目の固定位置までロープ２０１ａ〜２０１ｃを繰り出していく。そして、２番目の固定位置において固定金具２１０を用いてロープ２０１ａ〜２０１ｃを固定する。具体的には、固定金具２１０の差し込み部２１１ａ及び２１６ａに応じた穴を岩礁等に形成しておく。そして、固定金具２１０の差し込み部２１１ａ及び２１６ａを上方から穴に差し込んだ後、固定金具２１０の上端部にハンマーで上方から打撃を加える。これによって、平板２１３が岩礁等に接触するまで差し込み部２１１ａ及び２１６ａを穴内に確実に挿入する。固定の強度を増強する際は水中用の接着剤(レジン型を含む)を使用する。また、固定金具２１０の向きは、横棒２１２が陸沖方向と交差する方向に沿うように調整する。次に、２番目の固定位置から所定の距離だけ陸側に近づいた３番目の固定位置までロープ２０１ａ〜２０１ｃを繰り出していく。そして、３番目の固定位置において、２番目の固定位置と同様、固定金具２１０を用いてロープ２０１ａ〜２０１ｃを固定する。これを繰り返すことで、固定金具２１０を用いて、陸沖方向に沿って、ロープ２０１ａ〜２０１ｃを張っていく。施設の設置予定領域において最も陸側の固定位置では、固定金具１１０を上述の通りに岩礁等に固定した後、湾曲部１１４の上部１１４ａにロープ２０１ａ〜２０１ｃの一端部を結び付ける。各固定位置においては、隣の固定位置との間でロープ２０１ａ〜２０１ｃに緩みが生じないようにロープ２０１ａ〜２０１ｃが張られることが好ましい。
【００４０】
藻場礁１を使用した海藻の育成による海藻漁場の造成方法は以下の通りである。立て縄基質１００に着生した母藻から胞子が放出されると、その胞子は沿岸流によって主に下流側の底繋ぎ施設２００へと流出し、底繋ぎ施設２００のロープ２０１ａ〜２０１ｃに着生する。ロープ２０１ａ〜２０１ｃにおいて海藻が成長すると、海藻は海底の岩礁等の表面に向かって徐々に伸びていく。このように、陸沖方向に沿って配列された固定金具２１０の１列ごとに３本のロープが設けられ、これら３本のロープにおいて海藻が成長する。したがって、仮に一列に配置された固定金具２１０にロープが一本だけ固定される場合と比べ、多くの海藻を育成することが可能である。
【００４１】
ロープ２０１ａ〜２０１ｃは、固定金具２１０の上部（縦棒２１１の上端部２１１ｘ及び横棒２１２の両端部２１２ｘ）に結び付けられているため、海底の岩礁等の表面より上方に離隔している。このため、海藻の成長開始後しばらくは、海藻は岩礁等の表面に到達しない。よって、岩礁等に生息している植食動物の食害にさらされにくい。よって、成長の初期段階において食害による海藻の成長が阻害されにくい。一方、成長が進み、図７に示すように岩礁等の表面に海藻が到達すると、植食動物による摂餌の対象となる。しかしながら、時化の時期等、波浪の高い条件下では、ロープ２０１ａ〜２０１ｃに着生して垂下した海藻の揺れ動きにより、海藻が植食動物を叩く「叩き効果」が激しくなる。かかる場合、植食動物は海藻に叩かれない場所まで退避するので、一時的に海藻が摂餌されなくなり、この状態が数日間続くと海藻は再び成長（特にコンブは５〜８センチ／日)して餌供給量は増加する。
【００４２】
また、岩礁のように表面に凹凸があるところに底繋ぎ施設２００が設置される場合、ロープ２０１ａ〜２０１ｃから岩礁上面までの距離がまちまちとなる。したがって、ロープ２０１ａ〜２０１ｃにおいて成長した海藻は、着生した箇所によって、岩礁の表面に垂れ下がったり、岩礁の表面まで到達しなかったりする場合が生じる。よって、ロープ２０１ａ〜２０１ｃに着生した海藻の全てが植食動物の食害にさらされる事態を回避しつつ、一部の海藻を植食動物の摂餌に供することが可能となる。以上のように、底繋ぎ施設２００を使用した海藻の育成方法によると、植食動物による食害抑制と植食動物への餌料提供のバランスを取りやすい。これにより、本藻場礁１を用いた海藻漁場の造成方法は、海藻の育成を促進しつつ、育成した海藻を植食動物の餌料として利用しやすいものとなっている。
【００４３】
なお、ロープ２０１ａ〜２０１ｃは、いずれも陸沖方向に沿うように設置されている。陸沖方向は、海岸線に対し概ね波浪の進入方向であるため、例えば、これらのロープが陸沖方向と直交する海岸線方向に設置される場合と比べ、波浪の影響を受けにくいと共に、施設自体の対候性・耐久性が実用の範囲で向上する。
【００４４】
以上説明した本実施形態に係る海藻漁場の造成方法によると、まずは、天然の母藻からの胞子を立て縄基質１００に着生させる。立て縄基質１００の設置は、フロート１０３が固定された基質本体（細ロープ１０１及び太ロープ１０２）を固定金具１１０によって海底の岩礁等に固定するという簡易な方法で実施できる。また、天然の母藻からの胞子が海中を流れる経路中に基質本体を配置させる。このため、天然の母藻からの胞子を着生させることができる適切な位置に立て縄基質１００を設置しやすい。また、立て縄基質１００は、基質本体が固定金具１１０から海面に向かって延びるように配置される。このように配置された第１紐状部材は、波浪の影響で揺れ動くため、基質本体に着生した海藻が海底に生息する植食動物による食害を受けにくい。したがって、立て縄基質１００において胞子を放出できる段階まで海藻を確実に保護して成長させやすい。
【００４５】
次に、立て縄基質１００に着生した海藻を母藻として、かかる母藻からの胞子をさらに底繋ぎ施設２００に着生させる。立て縄基質１００は、天然の母藻から採苗した位置のまま利用されてもよいし、そこから離隔した場所（新規漁場等）に移動してもよい。上記の通り、立て縄基質１００は、固定金具１１０によって基質本体の一端部が固定される簡易な構成を有している。このため、海藻が着生した基質本体を別の場所に移動して利用しやすい。底繋ぎ施設２００は、固定金具２１０によってロープ２０１ａ〜２０１ｃが鉛直方向と交差する方向に延びるように岩礁等に設置される簡易な構成を有している。このため、ロープ２０１ａ〜２０１ｃを延伸するという簡易な方法で施設の規模を拡張しやすい。また、上記の通り、ロープ２０１ａ〜２０１ｃは固定金具２１０の上部に結び付けられ、もって、岩礁等の上方に配置される。このため、ロープ２０１ａ〜２０１ｃにおいて海藻が成長・伸長するまでの期間、海藻は天然物又は人工設置物に到達しない。また、ロープ２０１ａ〜２０１ｃが水中を陸沖方向に延びているので、波浪に由来する基質周辺の水の流動が植食動物による摂餌行動を常時抑制すると共に、ロープ２０１ａ〜２０１ｃ上で生育する海藻類を動揺させる。かかる動揺により、海藻が植食動物を叩き、その摂餌行動を抑制する。したがって、海底に生息するウニ等の植食動物が基質に這い上がって海藻を摂食することによる食害が大きく抑制される。そして、海藻が成長すると、その一部が海底の岩礁等に到達し、餌料量が増えた状態で植食動物の摂餌の対象となる。
【００４６】
以上の通り、本実施形態においては、天然の母藻が放出する胞子を適切に立て縄基質１００に着生させつつ、着生した海藻が植食動物から食害を受けるのを回避できる。これにより、限られた天然の母藻から供給される胞子を保護・育成して、胞子を放出する段階まで確実に海藻を育成できる。また、立て縄基質１００において育成された母藻からの胞子を底繋ぎ施設２００に着生させる。立て縄基質１００は、漁場を造成・拡大したい場所に移動することもできる。底繋ぎ施設２００においては、海藻が十分に成長するまで植食動物による食害を抑制できる。さらに、底繋ぎ施設２００はロープ２０１ａ〜２０１ｃを延伸することで新規の着生基質を提供できるため、簡易に規模を拡張できる。これらにより、本実施形態においては、植食動物が生息する漁場においてその食害を適切に抑制しつつ、長期間に亘って持続的に海藻を保護・育成しながら、十分な規模の海藻が生産される漁場を造成でき、さらに、当該漁場を植食動物への給餌場として利用することができる。また、従来技術のような大規模な施設が不要となりやすく、維持・管理が容易になる。
【００４７】
以下、本発明者が本発明の創作に至った経緯について説明する。なお、以下の説明は本発明の技術的範囲を限定する目的のものではない。第１に、漁場に関しては以下の通りである。漁場は岩礁・岩盤の底質で海藻類が生育する場所であるが、時期によりウニ等の植食動物が高密度に生息するため、多くの海藻類は成長の初期段階で食害され藻場が形成されず、磯焼け現象が持続している。この打開策として人為的に植食動物の摂食圧を下げる駆除・除去が潜水やカゴ漁具、船上漁獲等で行われている。しかし摂食圧を下げる目安として、１平方メートル当たり２００ｇ以下のウニ重量（ウニ個数換算では１平方メートル３〜４個体以下）が求められ、この基準を達成するには多大な人手と費用とが掛かるため、廉価で効率的なウニ除去の方法が求められてきた。本発明ではウニ等植食動物類が高密度に生息する漁場において、これら動物類の除去を必要とせず摂食圧を下げながら漁場の中層で海藻類を一定期間育成して大型に成長（餌料海藻の最大化）させ、海藻類漁場を形成した後に植食動物に海藻類を給餌する方法として底つなぎ施設が実現した。
【００４８】
第２に、採苗に関しては以下の通りである。天然母藻の群落が存在（無い場合は移設）  →母藻群落に子嚢斑形成・遊走子の放出  →近い距離で放出された胞子は高密度な状態で運搬・分散される  →この近距離で高密度の場所に着生基質を設置  →近距離では短時間で遊走子が着生でき健苗（活力のある種苗）の採苗が可能  →近距離の採苗は漁場における確実な天然採苗の方法となり、これを立て縄基質で実現した  →着生種苗は健苗で初期生残・成長は良好  →淘汰されたのち大型化しやすく基質に長期間残存  →基質上で母藻群落形成  →移設可能な母藻群となる。
【００４９】
第３に、施設に関しては以下の通りである。浅海域の厳しい環境で越冬できる施設  →施設は固定・浮体・着生基質のバランスを試験から決定  →立て縄は漁場の母藻から天然採苗、移設、着生海藻を母藻まで保護・育成する。→底つなぎ施設は２点固定の施設で越冬できる  →沿岸波の特性を最大利用  →  固定金具の開発  →沖陸張り込みと流速の遅い海底付近の利用で最小の波浪抵抗  →横張り施設の常識であったフロートを除去  →短い展張距離３〜５ｍと細いロープ（波浪抵抗がかかる断面積の最小化）の緊張張り込み→  上下左右の動きを抑制でき材料疲労を軽減でき→  施設が越冬して保全状態を維持（コンブを得る最低条件。これが最大の課題で沿岸施設は成功例が少なかった）→基質上で育成、伸長した海藻は植食動物の餌として（人手を介さず）利用され、海藻の保護・育成と成長した海藻が給餌される漁場として機能する。
【００５０】
＜変形例＞
以上は、本発明の好適な実施形態についての説明であるが、本発明は上述の実施形態に限られるものではなく、課題を解決するための手段に記載された範囲の限りにおいて様々な変更が可能なものである。
【００５１】
例えば、上述の実施形態においては、藻場礁１を岩礁等の天然物上に設置することが想定されている。しかしながら、過去に海底に構築された藻場礁、魚礁、海洋構造物、投石漁場等の人工設置物に立て縄基質１００や底繋ぎ施設２００を設置してもよい。また、岩礁以外の天然物として砂地に立て縄基質１００や底繋ぎ施設２００を設置してもよい。
【００５２】
また、上述の実施形態における固定金具２１０の代わりに、図９に示す固定金具３１０が用いられてもよい。固定金具３１０はロープ２０１ａを１本だけ固定するために使用される。固定金具３１０は、ロープ２０１ａが張られる方向に関して互いに離隔した縦棒３１１及び３１２並びに、縦棒３１１と縦棒３１２の間を繋ぐ横棒３１３及び３１４を有している。これらの部材は互いに溶接されることで固定されている。横棒３１３と横棒３１４は、上下方向に関して離隔している。ロープ２０１ａは、縦棒３１１及び３１２において横棒３１３の直下の部分に結び付けられる。なお、ロープ２０１ａは、縦棒３１１及び３１２において横棒３１３と横棒３１４の間の部分であれば、横棒３１４の直下以外の部分に結び付けられてもよい。縦棒３１１及び３１２において横棒より下方の部分は、岩礁等に差し込まれる差し込み部３１１ａ及び３１２ａ（本発明における第３差し込み部及び第４差し込み部）を形成している。このように、差し込み部３１１ａ及び３１２ａの２本が岩礁等に差し込まれるので、差し込み方向に沿った軸周りに固定金具３１０が回転するのが抑制されている。
【００５３】
なお、上述の実施形態においては、藻場礁１として、立て縄基質１００及び底繋ぎ施設２００の両方を利用している。しかし、本発明とは異なる観点として、立て縄基質１００が単独で使用されてもよい。この場合、（１）天然採苗の施設、（２）天然採苗後の保護・育成施設、又は（３）他の漁場への移設によるタネ場（核藻場）の創設としての利用があり得る。また、成長した海藻に対してさらに立て縄基質１００を増設していき、海藻の生息域を広範囲に拡張していくことも可能である。
【符号の説明】
【００５４】
１  藻場礁
１００ａ  細径部
１００ｂ  太径部
１００  立て縄基質
１０１  細ロープ
１０２  太ロープ
１０３  フロート
１１０  固定金具
１１１  本体部
１１２、１１５  差し込み部
１１４  湾曲部
２００  底繋ぎ施設
２０１ａ〜２０１ｃ  ロープ
２１０  固定金具
２１１ａ  差し込み部
２１１  縦棒
２１２  横棒
【要約】
【課題】植食動物が生息する漁場において、維持・管理が容易であり、天然胞子を供給する持続可能な海藻漁場を造成できる。
【解決手段】海底の岩礁等の上面に設置される立て縄基質１００及び底繋ぎ施設２００を備えている。立て縄基質１００は、フロートによってロープが海底から海面に向かって延びるように設置されている。立て縄基質１００は、天然の母藻からの胞子が海中を流れる経路中に、当該胞子が着生するように配置される。立て縄基質１００と底繋ぎ施設２００は互いに近くに設置される。底繋ぎ施設２００は、海底の岩礁等の上面から上方において陸沖方向に延びるように配置されたロープ２０１ａ〜２０１ｃを有している。ロープ２０１ａ〜２０１ｃは、立て縄基質１００に着生した母藻からの胞子が海中を流れる経路中に、当該胞子が着生するように配置される。ロープ２０１ａ〜２０１ｃに着生した海藻が成長すると、海底の岩礁等に到達する。
【選択図】図６【図１】
0006835341.tif 000002
【図２】
0006835341.tif 000003
【図３】
0006835341.tif 000004
【図４】
0006835341.tif 000005
【図５】
0006835341.tif 000006
【図６】
0006835341.tif 000007
【図７】
0006835341.tif 000008
【図８】
0006835341.tif 000009
【図９】
0006835341.tif 000010